(57)【特許請求の範囲】
【請求項１】
窓の内側にロールスクリーンを配置し、前記窓の近傍に、前記窓と前記ロールスクリーンとの間の空間に特定方向の空気の流れを発生させて該空気を外部に排気する空気流れ発生手段を配置し、前記ロールスクリーンを、光は透過するが空気を透過させない帯状の第１の幕材と、光及び空気の両者を透過させない帯状の第２の幕材とを長手方向の端部を接合してなるスクリーンと、所定の幕材が前記窓に対面するように前記スクリーンを長手方向に移動させて巻込む巻込み機とで構成したことを特徴とする窓際のエアバリア装置。
【発明の詳細な説明】
【０００１】
【発明の属する技術分野】
この発明は、屋外に面する窓を介して屋外からの熱負荷が室内の快適性に影響を与えるのを防止する窓際のエアバリア装置に関する。
【０００２】
【従来の技術】
図４は、屋外２に面する窓４を備えた室内６を示すものであり、この室内６には、室内用空調機８で最適な温度に調整した調和空気が、ダクト１０を介して室内天井１２に設けた吹出し口１４から吹き出している。また、室内６の窓際には窓際用空調機１６が設置されている。
【０００３】
この窓際用空調機１６は、夏期には冷風を窓４に沿って上方に吹き出し、冬期には温風を窓４に沿って上方に吹き出し、窓４を介して屋外２から伝達されてくる熱負荷を遮断するようにしている。
しかし、図４のシステムによると、温風・冷風を作るために多くのエネルギを必要とするのに加え、調和空気が最適な温度で吹出し口１４から室内６に吹き出しても、窓際用空調機１６から吹き出す温風や冷風が調和空気と混合して室内温度が変化してしまい、室内６の快適性が損われるおそれがある。
【０００４】
【発明が解決しようとする課題】
そこで、図５に示すように、窓４の内側に、ベネシアンブラインド１８を設置し、前述した窓際用空調機１６に代えて、室内空気を吸引して窓４に沿って上方に送り出す送気ファン２０と、窓４の上部近くの天井に配置して窓４際の空気を吸引して天井裏に排気する排気ファン２２とを備え、送気ファン２０及び排気ファン２２の作動により窓４とベネシアンブラインド１８との間に窓４の下部から天井に向けて流れる空気の流れを作り、ベネシアンブラインド１８で日除けを兼ねながら屋外２からの熱負荷を前述した空気の流れで天井裏に排出するシステムも考えられている。なお、前述したベネシアンブラインド１８に代えて、図示しないが、日除け用として編み目状のスクリーンを備えたロールスクリーンもある。
【０００５】
しかしながら、図５のシステムも、ベネシアンブラインド１８のルーバの隙間や、ロールスクリーンのスクリーンの編み目から前記空気の流れの一部が室内６側に流れてしまい室内温度が変化しやすいので、やはり室内６の快適性を維持することが難しい。
そこで、この発明は上記事情に鑑みてなされたものであり、窓を介して屋外からの熱負荷が室内に侵入するのを完全に遮断し、室内を最適温度に保持して快適性を維持することができる窓際のエアバリア装置を提供することを目的としている。
【０００６】
【課題を解決するための手段】
上記問題を解決するために、本発明の窓際のエアバリア装置は、窓の内側にロールスクリーンを配置し、前記窓の近傍に、前記窓と前記ロールスクリーンとの間の空間に特定方向の空気の流れを発生させて該空気を外部に排気する空気流れ発生手段を配置し、前記ロールスクリーンを、光は透過するが空気を透過させない帯状の第１の幕材と、光及び空気の両者を透過させない帯状の第２の幕材とを長手方向の端部を接合してなるスクリーンと、所定の幕材が前記窓に対面するように前記スクリーンを長手方向に移動させて巻込む巻込み機とで構成した。
【０００７】
【発明の実施の形態】
以下、本発明の窓際のエアバリアシステムの一実施形態について、図１から図３を参照して説明する。なお、図４及び図５に示した構成と同一構成部分には、同一符号を付してその説明を省略する。
図１に示すように、本実施形態は、窓４の内側の下部に送気ファン２０が設置されている。この送気ファン２０は、吸引した室内空気をファン吹出し口２０ａから窓４に沿って上方に送り出す装置である。また、窓４の上部近くの室内天井１２には、通気口１２ａが設けられている。
【０００８】
そして、窓４の内側にはロールスクリーン２２が設置されており、このロールスクリーン２２と窓４の間に、ファン吹出し口２０ａから通気口１２ａまで連続する空間が設けられている。
ロールスクリーン２２は、送気ファン２０の近くに配置されている下部巻込み機２４と、通気口１２ａの近くの天井裏に配置されている上部巻込み機２６と、これら下部及び上部巻込み機２４、２６に巻き込まれているスクリーン２８とで構成されている。ここで、スクリーン２８は、光は透過するが、空気を透過させない帯状の第１の幕材２８ａと、光を透過させず、空気も透過させない帯状の第２の幕材２８ｂとが長手方向の端部を接合することによって構成されている。なお、第１の幕材２８ａの材料は、例えば可撓性を有する透明な樹脂製の幕材が使用され、第２の幕材２８ｂは、例えば可撓性を有する黒色の樹脂製の幕材が使用されている。
【０００９】
なお、本実施形態の送気ファン２０、ファン吹出し口２０ａ及び室内天井１２に設けた通気口１２ａが、本発明の空気流れ発生手段に相当する。
上記構成のシステムによると、空気を透過させないスクリーン２８によって窓４とロールスクリーン２２との間に密閉空間３０が形成される。そして、送気ファン２０の作動により、密閉空間３０においてファン吹出し口２０ａから通気口１２ａまで上向きの空気の流れが発生する。
【００１０】
ここで、夏期には、屋外２の暖気により窓４から外気の熱が侵入するが、その外気の熱のほとんどは密閉空間３０で発生している空気の流れによって天井裏に排気され、しかも、その空気の流れはスクリーン２８によって室内６への侵入が遮断されるので、室内６の温度が変化せず室内６の快適性を維持することができる。
また、冬期には、屋外２の冷気が窓４に伝達することによって室内６側の熱を奪おうとするが、密閉空間３０で発生している空気の流れによって冷えた空気が天井裏に排気され、しかも、スクリーン２８によって室内６の空気が窓４側に移動するのも遮断されるので、室内６の温度が変化せず室内６の快適性を維持することができる。
【００１１】
また、室内６に入り込む日差しを遮断するときには、図２に示すように、下部及び上部巻込み機２４、２６を矢印方向に回転させ、窓４に対面するスクリーン２８のほとんどを第２の幕材２８ｂとする。この第２の幕材２８ｂにより日差しが遮断されて室内６の昇温が防止され、室内６の快適性を維持することができる。また、室内６に日差しを入れるときには、図３に示すように、下部及び上部巻込み機２４、２６を逆方向に回転させ、窓４に対面するスクリーン２８のほとんどを第１の幕材２８ｂとする。日差しは第１の幕材２８ａを透過するので、室内６に日差しが入り込んでいく。
【００１２】
このように、本実施形態によると、空気を透過させないスクリーン２８によって窓４とロールスクリーン２２との間に密閉空間３０を形成し、送気ファン２０の作動により密閉空間３０においてファン吹出し口２０ａから通気口１２ａまで上向きの空気の流れを発生させているので、窓４を介して屋外２からの熱負荷が室内６に侵入するのを前記空気の流れで完全に遮断することができ、室内６を最適温度に保持して快適性を維持することができる。
【００１３】
【発明の効果】
以上説明したように、本発明の窓際のエアバリア装置によると、空気を透過させないスクリーンによって窓とロールスクリーンとの間に密閉空間を形成し、空気流れ発生手段により密閉空間において空気の流れを発生させているので、窓を介して屋外からの熱負荷が室内に侵入するのを前記空気の流れで完全に遮断することができ、室内を最適温度に保持して快適性を維持することができる。
【００１４】
しかも、室内に入り込む日差しを遮断するときには、巻込み機の作動によりスクリーンを構成している光及び空気の両者を透過させない第２の幕材を窓に対面させる。これにより、第２の幕材により日差しが遮断されて室内の昇温が防止され、室内の快適性を維持することができる。
【図面の簡単な説明】
【図１】本発明の窓際のエアバリア装置を示す図である。
【図２】本発明のスクリーンを構成している第２の幕材を窓に対面させた状態を示す図である。
【図３】本発明のスクリーンを構成している第１の幕材を窓に対面させた状態を示す図である。
【図４】屋外からの熱負荷が窓を介して室内に侵入するのを防止する従来の方法示す図である。
【図５】屋外からの熱負荷が窓を介して室内に侵入するのを防止する従来のエアバリア装置を示す図である。
【符号の説明】
２    屋外
４    窓
６    室内
１２  室内天井
１２ａ  通気口
２０  送気ファン
２０ａ  ファン吹出し口
２２  ロールスクリーン
２４  下部巻込み機
２６  上部巻込み機
２８  スクリーン
２８ａ  第１の幕材
２８ｂ  第２の幕材
３０  密閉空間
【図１】
0004033278.tif 000002
【図２】
0004033278.tif 000003
【図３】
0004033278.tif 000004
【図４】
0004033278.tif 000005
【図５】
0004033278.tif 000006